(57)【要約】【課題】走行性に優れた電気掃除機の吸込口体およびそれを備えた電気掃除機を提供すること。【解決手段】被清掃面と対面する底面および前記底面に設けられた吸込口を有する吸込口本体と、前記吸込口本体の前進方向側の前端に設けられたバンパーとを備え、  前記吸込口本体は、前記底面の前端側に、前進方向に向かうにつれて被清掃面から離れる傾斜面部を有し、  前記バンパーは、前記吸込口本体の前記前端に固定された固定部と、前記傾斜面部側へ回動可能で前記固定部に垂れ下がり状に連結した可動片部とを有することを特徴とする電気掃除機の吸込口体。【選択図】図４
2020137836.tif 000002
【特許請求の範囲】
【請求項１】
被清掃面と対面する底面および前記底面に設けられた吸込口を有する吸込口本体と、前記吸込口本体の前進方向側の前端に設けられたバンパーとを備え、
前記吸込口本体は、前記底面の前端側に、前進方向に向かうにつれて被清掃面から離れる傾斜面部を有し、
前記バンパーは、前記吸込口本体の前記前端に固定された固定部と、前記傾斜面部側へ回動可能で前記固定部に垂れ下がり状に連結した可動片部とを有することを特徴とする電気掃除機の吸込口体。
【請求項２】
前記吸込口は、前方に開口する前方開口部を有し、
前記可動片部が回動して前記前方開口部内に退避するように構成された請求項１に記載の吸込口体。
【請求項３】
前記可動片部は、前進方向に面する外面を有し、
前記可動片部が回動して前記前方開口部内に退避することにより、前記外面が前記傾斜面部と略同一面内に配置される請求項２に記載の吸込口体。
【請求項４】
前記可動片部は、前記固定部に軸を介して回動可能に枢着されている請求項１〜３のいずれか１つに記載の吸込口体。
【請求項５】
前記軸を中心として前記可動片部を回動可能に付勢する付勢部材をさらに備え、
前記付勢部材によって前記外面が前進方向へ面する方向に前記可動片部が付勢される請求項４に記載の吸込口体。
【請求項６】
前記可動片部が、少なくとも前記固定部との連結部分に可撓性を有する請求項１〜３のいずれか１つに記載の吸込口体。
【請求項７】
前記底面における前記吸込口の左右位置から前記傾斜面部に亘る範囲に、被清掃面と摺接する左右一対の緩衝シートが設けられた請求項１〜６のいずれか１つに記載の吸込口体。
【請求項８】
掃除機本体と、前記掃除機本体と接続される請求項１〜７のいずれか１つに記載の吸込口体とを備えた電気掃除機。
【発明の詳細な説明】
【技術分野】
【０００１】
本発明は、電気掃除機の吸込口体およびそれを備えた電気掃除機に関する。
【背景技術】
【０００２】
従来の電気掃除機の吸込口体は、壁面や家具等の傷付き抑制のために、前端にバンパーが設けられているものが一般的である。
例えば、特許文献１には、吸込具本体の底面に設けられた吸込口が前端側に開口する側方開口部を有すると共に、吸込具本体の前端に設けられた受圧部材（バンパー）が側方開口部を覆う覆壁を有する吸込具が開示されている。
この吸込具では、床面での通常走行時には覆壁によって側方開口部を覆うことにより側方開口部の開口面積を小さくして吸塵力の低下を抑えると共に、受圧部材が壁面に衝突した際は覆壁が前方へ回動して側方開口部が開いて壁際の塵埃を吸引できるようにしている。
【先行技術文献】
【特許文献】
【０００３】
【特許文献１】特開平７−２３８８２号公報
【発明の概要】
【発明が解決しようとする課題】
【０００４】
特許文献１の吸込具にて床面清掃を行う場合、受圧部材の覆壁と床面との隙間が狭いと、床面上に敷かれた敷物（絨毯、マット等）や敷居などの段差に覆壁が引っ掛かる場合があるため、ユーザーが吸込具を持ち上げて段差を乗り越えるようにしなければならず、ユーザーへの負担が大きくなってしまう。また、受圧部材の覆壁と床面との隙間が狭い場合は、大きいゴミが隙間に入り込めないため吸引除去しにくい。
【０００５】
本発明は、このような課題に鑑みなされたものであり、走行性に優れた電気掃除機の吸込口体およびそれを備えた電気掃除機を提供することを目的とする。
【課題を解決するための手段】
【０００６】
本発明によれば、被清掃面と対面する底面および前記底面に設けられた吸込口を有する吸込口本体と、前記吸込口本体の前進方向側の前端に設けられたバンパーとを備え、
前記吸込口本体は、前記底面の前端側に、前進方向に向かうにつれて被清掃面から離れる傾斜面部を有し、
前記バンパーは、前記吸込口本体の前記前端に固定された固定部と、前記傾斜面部側へ回動可能で前記固定部に垂れ下がり状に連結した可動片部とを有する電気掃除機の吸込口体が提供される。
また、本発明によれば、掃除機本体と、前記掃除機本体と接続される前記吸込口体とを備えた電気掃除機が提供される。
【発明の効果】
【０００７】
走行性に優れた電気掃除機の吸込口体、または、走行性に優れた電気掃除機の吸込口体を備えた電気掃除機を提供することができる。
【図面の簡単な説明】
【０００８】
【図１】本発明の第１実施形態の吸込口体を備えた電気掃除機を示す斜視図である。
【図２】第１実施形態の吸込口体の正面図である。
【図３】第１実施形態の吸込口体の一部を省略した底面図である。
【図４】第１実施形態の吸込口体を下方から視た斜視図である。
【図５】第１実施形態の吸込口体の（Ａ）は左側面図、（Ｂ）は左右中間付近の左側断面図、（Ｃ）は左端部側の左側断面図である。
【図６】（Ａ）〜（Ｆ）は第１実施形態の吸込口体における傾斜面部の各種側面視形状を説明する図である。
【図７】第１実施形態の吸込口体のバンパー部分を拡大した左側断面図である。
【図８】第１実施形態の吸込口体のバンパーが閉じた状態を示す一部を省略した左側断面図である。
【図９】第１実施形態の吸込口体のバンパーが閉じた状態を示す下方から視た斜視図である。
【図１０】第１実施形態の吸込口体の（Ａ）は段差接触前、（Ｂ）は段差接触時、（Ｃ）は段差乗り越え時を説明する図である。
【図１１】第２実施形態の吸込口体のバンパー部分を拡大した左側断面図である。
【発明を実施するための形態】
【０００９】
（第１実施形態）
＜電気掃除機の全体構成＞
図１は本発明の第１実施形態の吸込口体を備えた電気掃除機を示す斜視図である。
図１に示すように、第１実施形態の電気掃除機１は、電動送風機を内蔵する駆動装置１０Ａおよびこれに着脱可能に装着されるダストカップユニット１０Ｂを有する掃除機本体１０と、駆動装置１０Ａに離脱可能に装着されるバッテリー２０と、モータ４７にて回転駆動する回転ブラシ４５（図５（Ｂ）および（Ｃ）参照）を有する吸込口体４０と、吸込口体４０と掃除機本体１０とを気密的に接続する延長管３０とを備えた、スティック型の電気掃除機である。
また、この電気掃除機１は、バッテリー２０の電力を吸込口体４０内に設けられた前記モータ４７へ供給する図示しない電気配線部を備えている。
【００１０】
掃除機本体１０において、駆動装置１０Ａは、使用者が手で握るハンドル１０Ａａと、ハンドル１０Ａａに設けられ起動・停止スイッチを有する操作部１０Ａｂと、延長管３０の基端部を受け入れて離脱可能に接続する接続部１０Ａｃとを備える。
【００１１】
延長管３０の先端部には、吸込口体４０の接続パイプ部４２を受け入れて離脱可能に接続する接続部３０ａが設けられている。
吸込口体４０は、吸込口本体４１と、延長管３０の接続部３０ａに離脱可能に差し込まれる接続パイプ部４２と、吸込口本体４１に対して接続パイプ部４２を約９０度の角度範囲で前後に揺動させ、かつ、約１８０度の角度範囲で左右に捩じることが可能な関節部４３とを備える。
【００１２】
このような構成された電気掃除機１では、操作部１０Ａｂの起動スイッチが投入される（オン操作される）と、電動送風機（図示省略）および回転ブラシ用モータ４７が駆動する（図５（Ｃ）参照）。そして、ダストを含む空気が、吸込口体４０の回転する回転ブラシ４５（図５（Ｂ）参照）を有する吸込口４１ａａから延長管３０を通ってダストカップユニット１０Ｂ内に流入し、ダストがダストカップユニット１０Ｂにて捕捉されると共に、浄化された空気は駆動装置１０Ａの側面の図示しない排気口から排気される。
【００１３】
＜吸込口体の構成＞
図２は第１実施形態の吸込口体の正面図であり、図３は第１実施形態の吸込口体の一部を省略した底面図であり、図４は第１実施形態の吸込口体を下方から視た斜視図である。また、図５は第１実施形態の吸込口体の（Ａ）は左側面図、（Ｂ）は左右中間付近の左側断面図、（Ｃ）は左端部側の左側断面図である。なお、図２と図３と図５（Ａ）において、吸込口体の前後左右上下の方向を矢印にて示している。
【００１４】
図２〜図５（Ｃ）に示すように、吸込口体４０において、吸込口本体４１は、底面を構成する下ケース４１ａと、下ケース４１ａに対面する上ケース４１ｂとを備え、下ケース４１ａと上ケース４１ｂとの結合した前端にバンパー４４が設けられている。なお、バンパー４４について、詳しくは後述する。
【００１５】
吸込口本体４１は、下ケース４１ａ（底面）に設けられた左右方向に伸びる吸込口４１ａａと、吸込口４１ａａの後方に前記関節部４３を介して接続された前記接続パイプ部４２と、吸込口４１ａａに左右方向に伸びる軸心周りに回転可能に設けられた前記回転ブラシ４５と、吸込口４１ａａと関節部４３とを接続する吸引流路４６と、回転ブラシ４５を駆動する前記回転ブラシ用モータ４７と、下ケース４１ａに設けられた持上げ検知スイッチ４８および車輪４９とを備える。
【００１６】
吸込口本体４１において、底面（下ケース４１ａ）の前端側に、前進方向に向かうにつれて上昇する方向に傾斜する、つまり、吸込み口体４１を被清掃面Ｆに置いた状態において前進方向に向かうにつれて被清掃面Ｆから離れる方向に傾斜する傾斜面部４１ａｂが設けられている（図１０（Ａ）参照）。また、吸込口４１ａａは前方に開口する前方開口部４１ａｃを有している。なお、本実施形態の場合、傾斜面部４１ａｂは吸込口４１ａａの前方開口部４１ａｃの左右両側に設けられているが、例えば、前方開口部４１ａｃの前後方向の幅を狭くする、あるいは前方開口部４１ａｃの前端縁を櫛歯状に形成することにより、前方開口部４１ａｃの前方位置および左右位置に連続的な傾斜面部４１ａｂを設けてもよい。
【００１７】
図６（Ａ）〜（Ｆ）は吸込口体における傾斜面部の各種側面視形状例を説明する図である。なお、図６（Ａ）〜（Ｆ）中の符号ＢＳは吸込口体の底面を示している。
本実施形態の吸込口体４０において、傾斜面部４１ａｂは、図６（Ａ）に示した凸曲面ＣＳのみからなるもの、図６（Ｂ）に示した平坦面ＦＳのみからなるもの、図６（Ｃ）に示した上部の凸曲面ＣＳと下部の平坦面ＦＳとからなるもの、図６（Ｄ）に示した上部の平坦面ＦＳと下部の凸曲面ＣＳとからなるもの、図６（Ｅ）に示した上部の平坦面ＦＳと下部の平坦面ＦＳとの間に凸曲面ＣＳが配置されてなるもの、および、図６（Ｆ）に示した上部の凸曲面ＣＳと下部の凸曲面ＣＳとの間に平坦面ＦＳが配置されてなるもの（図６（Ｆ））などが含まれる。この他にも傾斜面部にはさまざまな形状が考えられるが、図６（Ａ）〜（Ｆ）も含め、開発時に適する形状を選択すればよい。
【００１８】
また、本実施形態の場合、下ケース４１ａの底面における吸込口４１ａａの左右位置、具体的には、底面の平坦部分から左右の傾斜面部４１ａｂに亘る範囲に、被清掃面Ｆ（図１０（Ａ）参照）と摺接する左右一対の緩衝シート４１ａｄが設けられている。この緩衝シート４１ａｄは、例えば、不織布、織布等の布材からなる。
上ケース４１ｂの前端には、後述するバンパー４４の軸４４ｂｄを支持する複数（本実施形態では４つ）の支持リブ４１ｂａが設けられている（図７参照）。
【００１９】
また、回転ブラシ用モータ４７の出力軸にはタイミングプーリー５０ａが付設され、回転ブラシ４４の左端部にはタイミングプーリー５０ｂが付設され、これらのタイミングプーリー５０ａ、５０ｂがタイミングベルト５１によって結合されている。
したがって、前述のように、操作部１０Ａｂの起動スイッチが投入され、床面の清掃作業が開始されると、回転ブラシ用モータ４７により駆動される回転ブラシ４５によって床面のダストが掃き寄せられ、ダストは吸込口４１ａａから吸引流路４６と関節部４３と接続パイプ部４２を通ってダストカップユニット１０Ｂ（図１参照）の方へ搬送される。
【００２０】
持上げ検知スイッチ４８は、車輪４８ｂを有する揺動レバー部４８ａと、揺動レバー部４８ａを揺動可能に支持するスイッチ本体（不図示）と、揺動レバー部４８ａを下方へ付勢するねじりコイルばね（不図示）とを有する。スイッチ本体は、下ケース４１ａに収納された回転ブラシ用モータの駆動回路基板に接続され、揺動レバー部４８ａの車輪４８ｂが下ケース４１ａから外部下方へ露出している。
この構成によれば、吸込口体４０が持ち上げられて床面から離れると、持上げ検知スイッチ４８が働いて回転ブラシ用モータ４７の駆動を強制的に停止させることができる。
【００２１】
＜バンパーの構成＞
図７は第１実施形態の吸込口体のバンパー部分を拡大した左側断面図であり、図８は第１実施形態の吸込口体のバンパーが閉じた状態を示す一部を省略した左側断面図であり、図９は第１実施形態の吸込口体のバンパーが閉じた状態を示す下方から視た斜視図である。なお、図７において、吸込口体の前後方向を矢印にて示している。
【００２２】
図２と図７に示すように、バンパー４４は、吸込口本体４１の前端に固定された固定部４４ａと、傾斜面部４１ａｂ側へ回動可能として固定部４４ａに垂れ下がり状に連結した可動片部４４ｂとを有し、可動片部４４ｂが回動して吸込口４１ａａの前方開口部４１ａｃ内に退避するように構成されている。本実施形態の場合、固定部４４ａと可動片部４４ｂとは、別部材にて構成されている。
【００２３】
固定部４４ａａは、左右方向に延びるカバー部材であり、その外面とは反対側の内面には、後述する可動片部４４ｂの軸４４ｂｄを押さえる複数（本実施形態では４つ）の押さえリブ４４ａａが設けられている。
また、固定部４４ａの外面の左右両端側には、前方へ突出する突起部４４ａｂが設けられている。なお、吸込口体４０による清掃時にバンパー４４が平坦な壁面に当接する際は、これらの突起部４４ａｂが壁面に当接しやすくなっている。
【００２４】
可動片部４４ｂは、吸込口４１ａａの前方開口部４１ａｃの左右方向の長さよりも少し短い長さを有し、その下端縁４４ｂｃの左右両端には、下端縁４４ｂｃの厚みよりも大きい寸法で後方へ突出する補強リブ４４ｂｆが設けられている。この補強リブ４４ｂｆによって可動片部４４ｂが補強されると共に、左右方向からの空気の吸引を抑えて吸引力を維持するようにしている。
【００２５】
図２と図７に示すように、可動片部４４ｂは、左右方向に延びる上端縁に設けられた複数（本実施形態では３つ）の突片４４ｂａと、上端縁における各突片４４ｂａの両側に設けられた複数（本実施形態では４つ）の孔部４４ｂｂと、左右方向に延びる下端縁４４ｂｃとを有する。可動片部４４ｂの各孔部４４ｂｂに上ケース４１ｂの各支持リブ４１ｂａが差し込まれることにより、可動片部４４ｂは各支持リブ４１ｂａにて各軸４４ｂｄを中心として回動可能に支持されている。また、可動片部４４ｂは、固定部４４ａの各押さえリブ４４ａａによって各軸４４ｂｄが回動可能に押さえられている。すなわち、上端縁における各孔部４４ｂｂ付近が前記軸４４ｂｄとなっている。なお、各軸４４ｂｄは左右方向の同一軸心上に配置されている。
【００２６】
このバンパー４４は、各軸４４ｂｄを中心として可動片部４４ｂを回動可能に付勢する付勢部材４４ｃをさらに備えている。本実施形態の場合、付勢部材４４ｃとしての圧縮コイルバネが、可動片部４４ｂの各突片４４ｂａと固定部４４ａとの間に位置決めされている。
【００２７】
これにより、付勢部材４４ｃによって可動片部４４ｂはその下端縁４４ｂｃが前方へ回動する方向、つまり、下端縁４４ｂｃの外面４４ｂｅが前進方向へ面する方向に付勢される。また、各突片４４ｂａが上ケース４１ｂに当接することにより、可動片部４４ｂの下端縁４４ｂｃの前方への回動が規制されている。このとき、可動片部４４ｂの下端縁４４ｂｃの外面４４ｂｅは、固定部４４ａの外面の左右の突起４４ａｂよりも前方へ突出しないことが好ましい。
【００２８】
なお、付勢部材４４ｃとしては、圧縮コイルバネの代わりに、多孔性の弾性発泡体を用いてもよい。あるいは、突片４４ｂａを後方へ付勢することにより下端縁４４ｂｃを前方へ回動させる引っ張りコイルバネを用いてもよい。あるいは、可動片部４４ｂの長手方向の両端に軸を設け、少なくとも一方の軸にトーションバネを取り付け、トーションバネにて下端縁４４ｂｃが前方へ回動する方向に付勢するようにしてもよい。
【００２９】
また、図７〜図９に示すように、可動片部４４ｂの下端縁４４ｂｃの外面４４ｂｅが後方へ押されると、付勢部材４４ｃの付勢力に抗して可動片部４４ｂの各突片４４ｂａが軸４４ｂｄを中心に前方へ回動し、下端縁４４ｂｃが軸４４ｂｄを中心に後方へ回動する。これにより、下端縁４４ｂｃが吸込口４１ａａの前方開口部４１ａｃ内に退避する。このとき、下端縁４４ｂｃの外面４４ｂｅが左右の傾斜面部４１ａｂの緩衝シート４１ａｄと略同一面内に配置される。またこの場合、左右の緩衝シート４１ａｄは、左右の傾斜面部４１ａｂの一部として構成されている。つまり、図６（Ａ）〜（Ｆ）で示した各種側面視形状の左右の傾斜面部４１ａｂに沿って緩衝シート４１ａｄがそれぞれ設けられているため、各緩衝シート４１ａｄの外面も各傾斜面部４１ａｂと同様の各種側面視形状となっており、このような各種側面視形状の各緩衝シート４１ａｄの外面と略同一面内に可動片部４４ｂの下端縁４４ｂｃの外面４４ｂｅが配置される。
なお、左右の緩衝シート４１ａｄは省略されてもよい。この場合、可動片部４４ｂの下端縁４４ｂｃが吸込口４１ａａの前方開口部４１ａｃ内に退避した際、下端縁４４ｂｃの外面４４ｂｅが各種側面視形状の左右の傾斜面部４１ａｂと略同一面内に配置することが好ましい。
【００３０】
図１０は第１実施形態の吸込口体の（Ａ）は段差接触前、（Ｂ）は段差接触時、（Ｃ）は段差乗り越え時を説明する図である。
例えば、吸込口体４０にて絨毯Ｃが敷かれた床面（被清掃面Ｆ）を清掃する際、図１０（Ａ）および（Ｂ）に示すように、絨毯Ｃの段差Ｓの高さが、床面上の吸込口体４０のバンパー４４の固定部４４ａより低いとき、吸込口体４０は段差Ｓを乗り越えることができる。
【００３１】
このとき、図７〜図９および図１０（Ｂ）に示すように、可動片部４４ｂの下端縁４４ｂｃの外面４４ｂｅが段差Ｓに当たって前方開口部４１ａｃ内に押し込まれると共に、下端縁４４ｂｃの外面４４ｂｅと左右の傾斜面部４１ａｂの緩衝シート４１ａｄとが互いに略同一面内に配置された状態となる。そのため、段差Ｓに突き当たった吸込口体４０を前進させると、図１０（Ｃ）に示すようにバンパー４４が段差Ｓに引っ掛かることなく、吸込口体４０が段差Ｓをスムーズに乗り越えることができる。
【００３２】
なお、図１０（Ｂ）に示すように、可動片部４４ｂの下端縁４４ｂｃの外面４４ｂｅが段差Ｓに当たって前方開口部４１ａｃ内に押し込まれた状態では、段差Ｓと被清掃面Ｆとの間の隅部Ｎに向かって吸込口体４０の前方開口部４１ａｃが接近するため、隅部Ｎに溜まった塵埃を効率よく吸引除去することができる。
【００３３】
（第２実施形態）
図１１は第２実施形態の吸込口体のバンパー部分を拡大した左側断面図である。なお、図１１において、図７中の要素と同様の要素には同一の符号を付している。
第２実施形態の吸込口体は、バンパー１４４の構成が第１実施形態と異なる以外は、概ね第１実施形態と同様である。
以下、第２実施形態における第１実施形態とは異なる点を主に説明する。
【００３４】
図１１に示すように、第２実施形態の吸込口体１４０において、バンパー１４４は、可動片部１４４ｂが、少なくとも固定部１４４ａとの連結部分に可撓性を有している。本実施形態の場合、可動片部１４４ｂ全体が可撓性を有している。
【００３５】
このバンパー１４４は、例えば、固定部１４４ａを形成する部分に樹脂を用い、可動片部１４４ｂを形成する部分にゴムを用い、これらをインサート成形することにより１部品として得ることができる。なお、固定部１４４ａと可動片部１４４ｂとの連結部分にのみゴムを用い、それ以外の部分に樹脂を用いてインサート成形して１部品としてバンパーを形成してもよい。また、可動片部１４４ｂ全体を可撓性有する材料にて一体成型してもよい。
【００３６】
また、第２実施形態の場合、固定部１４４ａはその内面に係合リブ１４４ａａを有すると共に、上ケース１４１ｂはその前端に係合支持リブ１４１ｂａを有する。係合リブ１４４ａａが係合支持リブ１４１ｂａと係合することにより、固定部１４４ａが上ケース１４１ｂの前端に取り付けられている。
【００３７】
このようにバンパー１４４を構成することによって、可動片部１４４ｂの下端縁１４４ｂｃが後方へ押されると、可動片部１４４ｂの固定部１４４ａとの連結部分が弾性変形し、二点鎖線で示すように下端縁４４ｂｃが後方へ回動する。これにより、下端縁１４４ｂｃが吸込口４１ａａの前方開口部内に退避すると共に、下端縁１４４ｂｃの外面１４４ｂｅが左右の傾斜面部４１ａｂの緩衝シート４１ａｄと略同一面内に配置される。したがって、第２実施形態の吸込口体１４０は、第１実施形態と同様に、被清掃面Ｆ上の段差Ｓをスムーズに乗り越えることができる（図９（Ａ）〜（Ｃ）参照）。
【００３８】
（第３実施形態）
第１および第２実施形態ではモータ駆動の回転ブラシを有する吸込口体を例示したが、タービン駆動の吸込口体であってもよく、あるいは回転ブラシを有さない吸込口体であってもよい。
【００３９】
（第４実施形態）
第１実施形態ではスティック型電気掃除機（図１参照）に用いられる吸込口体を例示したが、第１〜第３実施形態の吸込口体はキャニスター型電気掃除機に用いられてもよい。
【００４０】
（他の実施形態）
第１および第２実施形態の吸込口体では、吸込口体が被清掃面に載置された状態において、前方へ向かうにつれて被清掃面から離れる方向に傾斜する傾斜面部が底面と一体となっている構成を例示したが、傾斜面部は底面と別部材で構成されてもよい。
【００４１】
（まとめ）
本発明の電気掃除機の吸込口体は、被清掃面と対面する底面および前記底面に設けられた吸込口を有する吸込口本体と、前記吸込口本体の前進方向側の前端に設けられたバンパーとを備え、
前記吸込口本体は、前記底面の前端側に、前進方向に向かうにつれて被清掃面から離れる傾斜面部を有し、
前記バンパーは、前記吸込口本体の前記前端に固定された固定部と、前記傾斜面部側へ回動可能で前記固定部に垂れ下がり状に連結した可動片部とを有するものである。
この構成によれば、吸込口体にて床面上を清掃する際、床面上に敷かれた敷物（絨毯、マット等）や敷居などの段差に可動片部が当たって押されると、可動片部が傾斜面部側へ回動する（退避する）。また、吸込口体の底面における吸込口よりも前方位置には傾斜面部が設けられている。これにより、バンパーの可動片部および吸込口体の前端に段差が引っ掛かることなく吸込口体が段差を乗り越えることができるため、吸込口体を持ち上げて段差を乗り越えさせるというユーザーへの負担を軽減することができる。
【００４２】
本発明の電気掃除機の吸込口体は、次のように構成されてもよく、それらが適宜組み合わされてもよい。
【００４３】
・前記吸込口は、前方に開口する前方開口部を有し、
前記可動片部が回動して前記前方開口部内に退避するように構成されてもよい。
この構成によれば、バンパーの可動片部が固定部から垂れ下がっているときは吸込口の前方開口部の開口面積（可動片部と床面との間の隙間）が狭くなっているため、吸引性能が維持される。また、可動片部と床面との間の隙間よりも大きなゴミ（大ゴミ）を吸い込む際は、大ゴミに向かって吸込口体を前進させることにより、大ゴミに押されてバンパーの可動片部が前方開口部内へ退避するため、大ゴミを吸込口に吸い込むことができる。
【００４４】
・前記可動片部は、前進方向に面する外面を有し、
前記可動片部が回動して前記前方開口部内に退避することにより、前記外面が前記傾斜面部と略同一面内に配置されてもよい。
この構成によれば、段差乗り越え時に受ける吸込口体の段差側への圧力を、吸込口本体の傾斜面部とバンパーの可動片部の外面の両方に分散させることができるため、走行抵抗が比較的大きい敷物（段差）であっても吸込口体がスムーズに乗り越えることができる。
【００４５】
・前記可動片部は、前記固定部に軸を介して回動可能に枢着されているものであってもよい。
この構成によれば、固定部と可動片部とを別部品として作製し、これらを組み立ててバンパーを得ることができる。
【００４６】
・前記軸を中心として前記可動片部を回動可能に付勢する付勢部材をさらに備え、
前記付勢部材によって前記外面が前進方向へ面する方向に前記可動片部が付勢されるものであってもよい。
この構成によれば、吸込口体の段差を乗り越時には段差に押されたバンパーの可動片部が付勢部材の付勢力に抗して後方へ回動し、段差を乗り越えると付勢部材によって可動片部が前方の初期位置へ自動的に戻る。
【００４７】
・前記可動片部が、少なくとも前記固定部との連結部分に可撓性を有するものであってもよい。
この構成によれば、固定部と可動片部とを一体的に形成したバンパーを得ることができる。
【００４８】
・前記底面における前記吸込口の左右位置から前記傾斜面部に亘る範囲に、被清掃面と摺接する左右一対の緩衝シートが設けられたものであってもよい。
この構成によれば、吸込口体にて被清掃面であるフローリング上を清掃する際、緩衝シートによって、フローリングなどの被清掃面に対する傷付き抑制および吸込口体がフローリングに当たったときの衝突音を抑えることができる。また、左右一対の緩衝シートは、面における吸込口の左右位置から前記傾斜面部に亘る範囲に設けられているため、吸込口体の段差乗り越え時に緩衝シートが段差に引っ掛かりにくくなる。
【００４９】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００５０】
１  電気掃除機
１０  掃除機本体
４０、１４０  吸込口体
４１、１４０  吸込口本体
４１ａａ  吸込口
４１ａｂ  傾斜面部
４１ａｃ  前方開口部
４１ａｄ  緩衝シート
４４、１４４  バンパー
４４ａ、１４４ａ  固定部
４４ｂ、１４４ｂ  可動片部
４４ｂｄ  軸
４４ｂｅ、１４４ｂｅ  外面
４４ｃ  付勢部材
Ｆ  被清掃面
【図１】
2020137836.tif 000003
【図２】
2020137836.tif 000004
【図３】
2020137836.tif 000005
【図４】
2020137836.tif 000006
【図５】
2020137836.tif 000007
【図６】
2020137836.tif 000008
【図７】
2020137836.tif 000009
【図８】
2020137836.tif 000010
【図９】
2020137836.tif 000011
【図１０】
2020137836.tif 000012
【図１１】
2020137836.tif 000013